(57)【特許請求の範囲】
【請求項１】
内部に流入したバラスト水を濾過して外部へ流出させる筒状のフィルタと、
前記フィルタの二次側に設けられ、前記フィルタに向かって逆洗水を噴射する逆洗水噴射ノズルと、
前記逆洗水噴射ノズルに向けて逆洗水が流通する逆洗水流通ラインと、
前記逆洗水流通ラインに設けられ、前記逆洗水流通ラインを流通する逆洗水を濾過する再生型濾過器と、
前記フィルタで濾過処理された濾過処理水であってバラストタンクを経ない濾過処理水又はバラストタンクに貯留される濾過処理水を、逆洗水として前記逆洗水噴射ノズルに供給する逆洗水供給手段と、
を備えるバラスト水処理装置。
【請求項２】
一次側に流入したバラスト水を濾過して二次側へ流出させる筒状のフィルタと、
前記フィルタの二次側に設けられ、前記フィルタに向かって逆洗水を噴射する逆洗水噴射ノズルと、
前記逆洗水噴射ノズルに向けて逆洗水が流通する逆洗水流通ラインと、
前記逆洗水流通ラインに設けられ、前記逆洗水流通ラインを流通する逆洗水を濾過する再生型濾過器と、
を備え、
バラストタンクに貯留されるバラスト水が、前記再生型濾過器を再生するための再生用水として利用される、バラスト水処理装置。
【請求項３】
清浄水を貯留する清浄水タンクを更に備え、
前記バラストタンクに貯留されるバラスト水が再生用水として利用された後に、前記清浄水タンクに貯留される清浄水が、前記再生型濾過器の再生の濯ぎ用の再生濯ぎ用水として利用される
請求項２に記載のバラスト水処理装置。
【発明の詳細な説明】
【技術分野】
【０００１】
本発明は、内部に流入したバラスト水を濾過して外部へ流出させる筒状のフィルタを備えるバラスト水処理装置に関する。
【背景技術】
【０００２】
タンカー等の船舶において、積み荷の原油等を降ろした後、再度目的地に向けて航行する際、航行中の船舶のバランスを取るため、一般的に、船舶に設けられたバラストタンク内にバラスト水と呼ばれる水を貯留する。バラスト水は、基本的に荷上港で取水されて、荷積港で排出される。そのため、それらの場所が異なっていれば、バラスト水中に含まれるプランクトンや細菌類の微生物が世界中を移動することになる。従って、荷上港と異なる海域の荷積港でバラスト水を排出すると、その港に別の海域の微生物を放出することになり、その海域の生態系を破壊するおそれがある。
【０００３】
バラスト水中に含まれる微生物の含有量を低減するために、バラスト水を濾過するフィルタを備えるバラスト水処理装置が用いられている。バラスト水処理装置のフィルタにおいては、高度の微生物除去性能が要求されているため、極小目開の金網などによる濾過体を必要としている。そのため、目詰まりが激しく、恒常的なフィルタの洗浄が重要とされている。
【０００４】
従来、フィルタの内面に堆積している異物を除去するものとして、特許文献１には、フィルタ内面に対向した位置で開口する吸引ノズルと、吸引ノズルをフィルタ内面に沿ってフィルタの軸方向及び周方向の両方へ移動させるノズル移動手段と、フィルタの外側にあって、吸引ノズルに対向する位置に配置され、逆洗水を吐出する逆洗ノズルと、逆洗ノズルを吸引ノズルに同期して同方向へ移動させる逆洗ノズル移動手段とを備えたろ過装置が記載されている。
【先行技術文献】
【特許文献】
【０００５】
【特許文献１】特開２００４−１４１７８５号公報
【発明の概要】
【発明が解決しようとする課題】
【０００６】
船舶では清浄水が貴重であるため、フィルタにより濾過処理されたバラスト水（濾過処理水）を、フィルタの逆洗水として用いることがある。しかし、濾過処理水であっても逆洗水の清浄性が不足する場合が有る。カートリッジ型のフィルタを別途設け、逆洗水をカートリッジ型のフィルタでプレ濾過することも考えられるが、その場合、フィルタカートリッジの交換が必要で、メンテナンス性に優れない。
【０００７】
本発明は、内部に流入したバラスト水を濾過して外部へ流出させる筒状のフィルタを備えるバラスト水処理装置において、高いメンテナンス性で逆洗水の清浄性を向上できるバラスト水処理装置を提供することを目的とする。
【課題を解決するための手段】
【０００８】
本発明は、内部に流入したバラスト水を濾過して外部へ流出させる筒状のフィルタと、
前記フィルタの二次側に設けられ、前記フィルタに向かって逆洗水を噴射する逆洗水噴射ノズルと、前記逆洗水噴射ノズルに向けて逆洗水が流通する逆洗水流通ラインと、前記逆洗水流通ラインに設けられ、前記逆洗水流通ラインを流通する逆洗水を濾過する再生型濾過器と、前記フィルタで濾過処理された濾過処理水であってバラストタンクを経ない濾過処理水又はバラストタンクに貯留される濾過処理水を、逆洗水として前記逆洗水噴射ノズルに供給する逆洗水供給手段と、を備えるバラスト水処理装置に関する。
【０００９】
また、本発明は、一次側に流入したバラスト水を濾過して二次側へ流出させる筒状のフィルタと、前記フィルタの二次側に設けられ、前記フィルタに向かって逆洗水を噴射する逆洗水噴射ノズルと、前記逆洗水噴射ノズルに向けて逆洗水が流通する逆洗水流通ラインと、前記逆洗水流通ラインに設けられ、前記逆洗水流通ラインを流通する逆洗水を濾過する再生型濾過器と、を備え、バラストタンクに貯留されるバラスト水が、前記再生型濾過器を再生するための再生用水として利用される、バラスト水処理装置に関する。
【００１０】
また、清浄水を貯留する清浄水タンクを更に備え、前記バラストタンクに貯留されるバラスト水が再生用水として利用された後に、前記清浄水タンクに貯留される清浄水が、前記再生型濾過器の再生の濯ぎ用の再生濯ぎ用水として利用されることが好ましい。
【発明の効果】
【００１２】
本発明のバラスト水処理装置によれば、内部に流入したバラスト水を濾過して外部へ流出させる筒状のフィルタを備えるバラスト水処理装置において、高いメンテナンス性で逆洗水の清浄性を向上できるバラスト水処理装置を提供することができる。
【図面の簡単な説明】
【００１３】
【図１】本発明のバラスト水処理装置の一実施形態を示すフロー図である。
【発明を実施するための形態】
【００１４】
本発明のバラスト水処理装置の一実施形態を、図面を参照して説明する。図１は、本発明のバラスト水処理装置の一実施形態を示すフロー図である。
図１に示すように、本実施形態のバラスト水処理装置１は、バラスト水濾過装置２と、紫外線リアクタ６１と、清浄水タンク６３と、再生型濾過器７０と、逆洗水供給手段７と、制御部（図示せず）と、を備える。
【００１５】
本実施形態は、ラインとして、被処理水導入ラインＬ１と、被処理水排出ラインＬ２と、処理水ラインＬ１１と、貯留処理水排出ラインＬ１２と、逆洗水流通ラインＬ２１と、再生用水ラインＬ２４と、清浄水ラインＬ２５と、再生排水ラインＬ２６と、エア抜きラインＬ３１と、を備える。「ライン」とは、流路、経路、管路等の流体の流通が可能なラインの総称である。
【００１６】
バラスト水濾過装置２は、ケーシング５１と、フィルタ５２と、フィルタ回転手段３と、吸引ノズル４と、逆洗水噴射ノズル６と、洗浄汚水排出手段５と、差圧検出手段８と、を備える。
【００１７】
ケーシング５１は、円筒状であり、その内部にフィルタ５２を収納する。フィルタ５２は、円筒状であり、内部に流入した被処理水（バラスト水）Ｗ１（主に海水）を濾過してバラスト水（濾過処理水）Ｗ２として外部へ流出させる。フィルタ回転手段３は、フィルタ５２を、その軸心を中心に回転させる。吸引ノズル４は、フィルタ５２の一次側に設けられ、フィルタ５２の内周面に向かって開口する。
【００１８】
逆洗水噴射ノズル６は、フィルタ５２の二次側に設けられ、フィルタ５２の外周面に向かって、バラスト水処理運転中に逆洗水を噴射する。逆洗水は、再生型濾過器７０により濾過された水である。逆洗水噴射ノズル６からの逆洗水の噴射は、ケーシング５１及びフィルタ５２の内部にバラスト水（Ｗ２，Ｗ１）が存在する（満たされる）状態で行われる。
【００１９】
洗浄汚水排出手段５は、吸引ノズル４で吸引された洗浄汚水Ｗ１１をケーシング５１の内部から外部へ排出する。差圧検出手段８は、フィルタ５２の一次側と二次側との差圧を検出する。制御部は、差圧検出手段８により検出された差圧などに基づいて、逆洗水Ｗ２の噴射の有無、逆洗水Ｗ２の噴射時の噴射圧力などを制御する。
バラスト水濾過装置２の詳細については後述する。
【００２０】
紫外線リアクタ６１は、バラスト水濾過装置２のフィルタ５２により濾過されたバラスト水（濾過処理水）Ｗ２に対して紫外線の照射を行う。
バラストタンク６２は、紫外線リアクタ６１により紫外線の照射が行われたバラスト水（濾過処理水）Ｗ２を、貯留処理水Ｗ３として貯留する。
また、紫外線リアクタ６１は、バラストタンク６２に貯留されるバラスト水（貯留処理水）Ｗ３を船外へ排出する際や再生型濾過器７０へ再生用水Ｗ３として供給する際に、貯留処理水Ｗ３に対して紫外線の照射を行う。
【００２１】
清浄水タンク６３は、バラスト水とは別に用意された清浄水（再生濯ぎ用水）Ｗ４を貯留する。
【００２２】
再生型濾過器７０は、再生型の濾過器であり、逆洗水流通ラインＬ２１を流通する逆洗水を濾過する。本実施形態における再生型濾過器７０は、砂濾過型の濾過器である。なお、砂濾過型以外の再生型濾過器、例えば繊維濾過型の濾過器を用いてもよい。
【００２３】
再生型濾過器７０は、逆洗水流通ラインＬ２１を介して導入される再生用水（貯留処理水）Ｗ３によって逆洗されて、濾過処理能力が再生されることができる。その再生排水Ｗ３は、再生排水ラインＬ２６を介して外部に排出される。また、再生型濾過器７０は、逆洗水流通ラインＬ２１を介して導入される再生濯ぎ用水Ｗ４によって再生時の濯ぎを行うことができる。その濯ぎ排水Ｗ４は、再生排水ラインＬ２６を介して外部に排出される。
【００２４】
本実施形態においては、バラストタンク６２に貯留されるバラスト水（貯留処理水）Ｗ３が、再生型濾過器７０を再生するための再生用水として利用される。また、貯留処理水Ｗ３が再生用水として利用された後に、清浄水タンク６３に貯留される清浄水Ｗ４が、再生型濾過器７０の再生の濯ぎ用の再生濯ぎ用水として利用される。
【００２５】
次に、各ラインについて詳述する。被処理水導入ラインＬ１は、一端部から被処理水Ｗ１（主に海水）が導入され、他端部において被処理水導入口２０に接続しており、被処理水Ｗ１がバラスト水濾過装置２の被処理水導入口２０に向けて流通するラインである。被処理水導入ラインＬ１には、汲み上げポンプＰ１、バルブＶ１、接続部Ｊ１、被処理水導入口２０がこの順で接続されている。
被処理水排出ラインＬ２は、一端部において被処理水導入ラインＬ１の接続部Ｊ１に接続しており、他端部からフィルタ５２内の水（バラスト水Ｗ１）が排出されるラインである。
【００２６】
処理水ラインＬ１１は、一端部においてバラスト水濾過装置２の処理水流出口２６に接続しており、他端部においてバラストタンク６２に接続しており、バラスト水濾過装置２で濾過処理されたバラスト水（濾過処理水）Ｗ２がバラストタンク６２に向けて流通するラインである。処理水ラインＬ１１には、処理水流出口２６、接続部Ｊ２１、バルブＶ１１、接続部Ｊ１１、紫外線リアクタ６１、バルブＶ１２、バラストタンク６２がこの順で設けられている。
【００２７】
貯留処理水排出ラインＬ１２は、一端部において処理水ラインＬ１１の接続部Ｊ１１に接続しており、他端部からバラスト水（貯留処理水）Ｗ３を排出するラインである。貯留処理水排出ラインＬ１２には、接続部Ｊ１１、バルブＶ１３、接続部Ｊ２３、貯留処理水排出ポンプＰ１１、バルブＶ１４がこの順で設けられている。
【００２８】
逆洗水流通ラインＬ２１は、一端部において処理水ラインＬ１１の接続部Ｊ２１に接続しており、他端部において逆洗水噴射ノズル６に接続しているラインである。逆洗水流通ラインＬ２１には、バラスト水（濾過処理水）Ｗ２、バラスト水（貯留処理水）Ｗ３及び清浄水Ｗ４が流通する。逆洗水流通ラインＬ２１には、接続部Ｊ２１、バルブＶ２１、接続部Ｊ２４、第１逆洗水ポンプＰ２１、再生型濾過器７０、第２逆洗水ポンプＰ２２がこの順で設けられている。
【００２９】
再生用水ラインＬ２４は、一端部において貯留処理水排出ラインＬ１２の接続部Ｊ２３に接続しており、他端部において逆洗水流通ラインＬ２１の接続部Ｊ２４に接続しているラインである。再生用水ラインＬ２４には、バラスト水（貯留処理水）Ｗ３が逆洗水流通ラインＬ２１の接続部Ｊ２４に向けて流通する。再生用水ラインＬ２４には、接続部Ｊ２３、バルブＶ２４、接続部Ｊ２５、接続部Ｊ２４がこの順で設けられている。
【００３０】
清浄水ラインＬ２５は、一端部において清浄水タンク６３に接続しており、他端部において再生用水ラインＬ２４の接続部Ｊ２５に接続しているラインである。清浄水ラインＬ２５には、清浄水タンク６３に貯留される清浄水Ｗ４が再生用水ラインＬ２４の接続部Ｊ２５に向けて流通する。
【００３１】
再生排水ラインＬ２６は、一端部において再生型濾過器７０に接続しており、他端部から再生型濾過器７０の再生時の再生排水Ｗ３、濯ぎ排水Ｗ４を排出するラインである。
【００３２】
ラインの各所には、各種のバルブ及びポンプが設けられている。具体的には、被処理水導入ラインＬ１における接続部Ｊ１よりも上流側には、汲み上げポンプＰ１が設けられている。汲み上げポンプＰ１は、被処理水導入ラインＬ１の一端部から被処理水Ｗ１（主に海水）を汲み上げる。被処理水導入ラインＬ１における汲み上げポンプＰ１と接続部Ｊ１との間には、バルブＶ１が設けられている。被処理水排出ラインＬ２には、バルブＶ２が設けられている。
【００３３】
処理水ラインＬ１１における処理水流出口２６と紫外線リアクタ６１との間（詳細には、接続部Ｊ２１と接続部Ｊ１１との間）には、バルブＶ１１が設けられている。処理水ラインＬ１１における紫外線リアクタ６１とバラストタンク６２との間には、バルブＶ１２が設けられている。
貯留処理水排出ラインＬ１２における接続部Ｊ１１と接続部Ｊ２３との間には、バルブＶ１３が設けられている。貯留処理水排出ラインＬ１２における接続部Ｊ２３よりも下流側には、貯留処理水排出ポンプＰ１１及びバルブＶ１４が設けられている。
【００３４】
逆洗水流通ラインＬ２１における接続部Ｊ２１と接続部Ｊ２４との間には、バルブＶ２１が設けられている。逆洗水流通ラインＬ２１における接続部Ｊ２４と再生型濾過器７０との間には、第１逆洗水ポンプＰ２１が設けられている。逆洗水流通ラインＬ２１における再生型濾過器７０と逆洗水噴射ノズル６との間には、第２逆洗水ポンプＰ２２が設けられている。第１逆洗水ポンプＰ２１は、再生型濾過器７０よりも上流側の逆洗水流通ラインＬ２１を流通する水（Ｗ２，Ｗ３，Ｗ４）を、再生型濾過器７０に向けて加圧する。第２逆洗水ポンプＰ２２は、再生型濾過器７０によって濾過された逆洗水Ｗ２を、逆洗水噴射ノズル６に向けて加圧する。
【００３５】
再生用水ラインＬ２４における接続部Ｊ２３と接続部Ｊ２５との間には、バルブＶ２４が設けられている。清浄水ラインＬ２５には、バルブＶ２５が設けられている。再生排水ラインＬ２６には、バルブＶ２６が設けられている。
【００３６】
次に、バラスト水濾過装置２の詳細について説明する。ケーシング５１は、上部開口部及び下部開口部を有する円筒状に形成されており、上部開口部が蓋部１０で密閉され、下部開口部が底部１１で密閉されている。蓋部１０には、エア抜きラインＬ３１が接続されている。エア抜きラインＬ３１には、ケーシング５１の内部のエアを抜くためのエア抜きバルブＶ３１が設けられている。
【００３７】
フィルタ５２は、上部開口部及び下部開口部を有する円筒状に形成されている。ケーシング５１とフィルタ５２との間には、処理水流出空間２７が形成される。上部開口部は、上閉止部１３で密閉されている。下部開口部は、下閉止部１４及び後述する下部回転軸部材１６とで密閉されている。
フィルタ５２の構成は、多数の穴を設けた２枚の金属薄板を円筒形に形成した支持体の間に、円筒状に形成した金網などの濾過体を挟んだ構成が好ましい。なお、フィルタ５２の構成は、多数の穴を設けた金属薄板を円筒形に形成した支持体の外周面に濾過体を設けた構成であってもよい。
【００３８】
フィルタ回転手段３は、上部回転軸部材１５と、下部回転軸部材１６と、上部回転軸部材１５を回転させるモータ１７とで構成されている。上部回転軸部材１５は、フィルタ５２の上閉止部１３に、フィルタ５２の軸心位置に軸心方向上向きに突設して設けられている。下部回転軸部材１６は、フィルタ５２の下閉止部１４に、フィルタ５２の軸心位置に軸心方向下向きに突設して設けられている。
【００３９】
上部回転軸部材１５は、ケーシング５１の蓋部１０を貫通し且つシーリングされた軸受部材１８を介して、蓋部１０に回転自在に且つ液密に支持されている。下部回転軸部材１６は、ケーシング５１の底部１１を貫通し且つシーリングされた軸受部材１９を介して、底部１１に回転自在に且つ液密に支持されている。下部回転軸部材１６は、フィルタ５２の内部と連通する管状体となっており、ケーシング５１の底部１１からケーシング５１の外部に突出する。下部回転軸部材１６には、ケーシング５１への被処理水導入口２０が接続されている。
【００４０】
被処理水導入口２０には、被処理水導入ラインＬ１が接続されている。ケーシング５１の側部には、処理水流出口２６が設けられている。処理水流出口２６には、処理水ラインＬ１１が接続されている。
被処理水導入ラインＬ１を流通し且つ被処理水導入口２０から導入された被処理水Ｗ１は、下部回転軸部材１６を通ってフィルタ５２の内部に入る。その被処理水Ｗ１は、フィルタ５２を通過して濾過されて、ケーシング５１とフィルタ５２との間に形成される処理水流出空間２７に入り、処理水流出口２６から流出する。
【００４１】
洗浄汚水排出手段５は、洗浄汚水集合管２８と、洗浄汚水排出管２９と、バルブＶ３２とを備える。洗浄汚水集合管２８は、吸引ノズル４に接続する。洗浄汚水集合管２８には、吸引ノズル４で吸引された洗浄汚水Ｗ１１が集合する。洗浄汚水排出管２９は、洗浄汚水集合管２８の下端部に接続し、洗浄汚水Ｗ１１を外部へ排出する。バルブＶ３２は、洗浄汚水排出管２９に設けられている。
【００４２】
洗浄汚水集合管２８においては、上端部が閉鎖し、下端部が開口している。洗浄汚水集合管２８は、フィルタ５２の軸心に配置されている。洗浄汚水集合管２８の上端部は、フィルタ５２の上閉止部１３の中央に設けられた孔に、軸受部材１８を介して回転自在に嵌合している。洗浄汚水集合管２８の下端部は、フィルタ５２の下閉止部１４の下部回転軸部材１６の内部を、フィルタ５２の回転を妨げないように通り、ケーシング５１の被処理水導入口２０に固定されて支持されている。
【００４３】
吸引ノズル４は、洗浄汚水集合管２８に接続し、フィルタ５２の内周面に向かって開口する。吸引ノズル４は、フィルタ５２の軸方向全域から吸引可能であることが好ましい。なお、吸引ノズル４の構成は特に限定されるものではない。例えば、吸引ノズル４を、フィルタ５２の軸方向に直線状及び／又は周方向に角度を変えて複数配置することができる。周方向に角度を変えて複数配置される吸引ノズル４は、同じ高さに配置してもよく、或いは高さを変えて配置してもよい。
【００４４】
本実施形態においては、複数の吸引ノズル４は、フィルタ５２の軸方向（上下方向）に直線状に配置されて、洗浄汚水集合管２８と接続している。また、フィルタ５２の内周面に対向した位置でフィルタ５２に向かって開口している吸引ノズル４の開口部は、フィルタ５２の内周面に摺動可能に密着している。
【００４５】
上下方向に配置されている複数の吸引ノズル４の間の未吸引部を無くすため、フィルタ５２の軸方向に２列に配置され、一方の列の吸引ノズル４の間に他方の列の吸引ノズル４が位置している。具体的には、複数の吸引ノズル４は、洗浄汚水集合管２８の左右側に、高さ方向に交互に配置されている。なお、吸引ノズル４をフィルタ５２の軸方向に配置する他の例として、複数の吸引ノズル４をフィルタ５２の軸方向に、吸引ノズル４の間に未吸引部が存在しない間隔で螺旋状に配置してもよい。
【００４６】
吸引ノズル４の開口部がフィルタ５２の内周面に摺動可能に密着した状態で、複数の吸引ノズル４は、フィルタ５２の軸方向に直線状に配置されて洗浄汚水集合管２８に接続している。上下方向に配置されている複数の吸引ノズル４は、各吸引ノズル４の間の未吸引部を無くすため、洗浄汚水集合管２８の左右側に、高さ方向に交互に配置されている。そのため、フィルタ５２の１回の回転でフィルタ５２の内周面全域からの吸引を行うことができる。
【００４７】
逆洗水噴射ノズル６は、ケーシング５１の側部に設けられており、ケーシング５１の内部に開口している。逆洗水噴射ノズル６は、フィルタ５２の軸方向全域に逆洗水を噴射できることが好ましい。逆洗水噴射ノズル６の構成は特に限定されるものではない。例えば、逆洗水噴射ノズル６を、フィルタ５２の軸方向に直線状及び／又は周方向に角度を変えて複数配置することができる。周方向に角度を変えて複数配置される逆洗水噴射ノズル６は、同じ高さに配置してもよく、或いは高さを変えて配置してもよい。本実施形態においては、逆洗水噴射ノズル６は、複数配置された各吸引ノズル４と同周上に位置し、且つ、フィルタ５２の回転方向に対向する方向に向かって、吸引ノズル４の前に位置するように設けられている。なお、逆洗水噴射ノズル６は、各吸引ノズル４と対向するそれぞれの位置に設けられていてもよく、或いは、フィルタ５２の回転方向に対向する方向に向かって、吸引ノズル４の後に位置するように設けられていてもよい。
【００４８】
逆洗水供給手段７は、フィルタ５２で濾過処理された濾過処理水Ｗ２を加圧して、逆洗水Ｗ２として逆洗水噴射ノズル６に供給する。逆洗水供給手段７は、第１逆洗水ポンプＰ２１、第２逆洗水ポンプＰ２２、バルブＶ２１、バルブＶ１１などから構成される。
【００４９】
逆洗水噴射ノズル６は、フィルタ５２の外周面（二次側）に逆洗水Ｗ２を噴射して、フィルタ５２の一次側に堆積した異物を剥離する。剥離した直後に吸引ノズル４による吸引が行われる。逆洗水噴射ノズル６から噴射された逆洗水Ｗ２によりフィルタ５２から剥離した異物は、洗浄汚水排出管２９に設けられたバルブＶ３２を開くことにより、吸引ノズル４により効果的に吸引される。バルブＶ３２の二次側の圧力は大気圧に開放されているため、洗浄汚水集合管２８の内部の圧力がフィルタ５２の二次側の圧力よりも低くなり、フィルタ５２の二次側にある濾過処理水Ｗ２の一部及び逆洗水噴射ノズル６から噴射した逆洗水Ｗ２は、洗浄汚水Ｗ１１となって洗浄汚水集合管２８の内部を流通し、洗浄汚水排出管２９から外部へ排出される。
【００５０】
差圧検出手段８は、フィルタ５２の一次側と二次側との差圧を検出する。差圧検出手段８は、フィルタ５２の内部に配置される一次側圧力センサ３７と、処理水流出空間２７に配置される二次側圧力センサ３８と、を備える。差圧検出手段８は、一次側圧力センサ３７によりフィルタ５２の一次側の圧力を検知し、二次側圧力センサ３８によりフィルタ５２の二次側の圧力を検知して、フィルタ５２の一次側と二次側との差圧を検出する。フィルタ５２の一次側と二次側との差圧に基づいて、フィルタ５２の汚れ具合を判断できる。差圧が大きい場合は、フィルタ５２への異物の堆積量が多くなっていることを示し、差圧が小さい場合は、フィルタ５２が初期状態に近い状態（異物の堆積量が少ない状態）であることを示している。
【００５１】
逆洗水噴射ノズル６に供給される逆洗水としては、本実施形態においては、フィルタ５２で濾過処理された濾過処理水Ｗ２が用いられる。
【００５２】
逆洗水流通ラインＬ２１を流通する濾過処理水Ｗ２は、再生型濾過器７０に導入され、濾過される。濾過された逆洗水Ｗ２は、逆洗水流通ラインＬ２１を流通し、第２逆洗水ポンプＰ２２により加圧されて、フィルタ５２への逆洗水Ｗ２として逆洗水噴射ノズル６に供給される。
【００５３】
次に、本実施形態のバラスト水処理装置１の主な動作について簡単に説明する。
（１）バラスト水濾過装置２による被処理水Ｗ１の濾過処理（バラスト水処理運転）
バルブＶ１、バルブＶ１１及びバルブＶ１２を開き、バルブＶ２、バルブＶ１３、バルブＶ２１、バルブＶ３１及びバルブＶ３２を閉じる。この状態で、汲み上げポンプＰ１を駆動させる。これにより、被処理水導入ラインＬ１の一端部から流入した被処理水Ｗ１は、被処理水導入ラインＬ１を流通する。被処理水導入口２０から導入された被処理水Ｗ１は、フィルタ５２で濾過処理され、濾過処理水Ｗ２として処理水流出口２６から排出される。濾過処理水Ｗ２は、処理水ラインＬ１１を流通し、紫外線リアクタ６１により紫外線処理され、バラストタンク６２に貯留処理水Ｗ３として貯留される。
【００５４】
（２）逆洗水噴射ノズル６によるフィルタ５２の逆洗処理（バラスト水処理運転中の逆洗）
バルブＶ１、バルブＶ１１、バルブＶ１２、バルブＶ２１及びバルブＶ３２を開き、他のバルブを閉じて、再生型濾過器７０で濾過された濾過処理水Ｗ２（逆洗水Ｗ２）が逆洗水噴射ノズル６に向けて流通する状態とする。そして、ケーシング５１及びフィルタ５２の内部にバラスト水（Ｗ２，Ｗ１）が存在した状態で、第１逆洗水ポンプＰ２１、第２逆洗水ポンプＰ２２及び吸引ノズル４の吸引を稼働させる。これにより、逆洗水噴射ノズル６からの逆洗水（濾過処理水）Ｗ２は、フィルタ５２に向けて噴射され、逆洗が行われる。
【００５５】
（３）貯留処理水Ｗ３による再生型濾過器７０の再生（逆洗）処理
バルブＶ１２、バルブＶ１３、バルブＶ２４及びバルブＶ２６を開き、バルブＶ１１、バルブＶ１４、バルブＶ２１及びバルブＶ２５を閉じる（なお、バルブＶ１４が開いていてもよい）。再生型濾過器７０は再生（逆洗）モードになっている。この状態で第１逆洗水ポンプＰ２１を稼働させる。これにより、バラストタンク６２に貯留される貯留処理水Ｗ３は、紫外線リアクタ６１により紫外線処理され、処理水ラインＬ１１、貯留処理水排出ラインＬ１２、再生用水ラインＬ２４及び逆洗水流通ラインＬ２１を介して再生型濾過器７０に供給され、再生型濾過器７０の再生（逆洗）を行う。その再生排水Ｗ３は、再生排水ラインＬ２６を介して外部に排出される。
【００５６】
（４）清浄水Ｗ４による再生型濾過器７０の再生の濯ぎ処理
バルブＶ２５及びバルブＶ２６を開き、バルブＶ２４及びバルブＶ２１を閉じる。この状態で第１逆洗水ポンプＰ２１を稼働させる。再生型濾過器７０は再生（濯ぎ）モードになっている。これにより、清浄水タンク６３に貯留される清浄水Ｗ４は、清浄水ラインＬ２５、再生用水ラインＬ２４及び逆洗水流通ラインＬ２１を介して再生型濾過器７０に供給され、再生型濾過器７０の再生の濯ぎを行う。その濯ぎ排水Ｗ４は、再生排水ラインＬ２６を介して外部に排出される。
【００５７】
（５）バラストタンク６２から外部への貯留処理水Ｗ３の排水処理
バルブＶ１２、バルブＶ１３及びバルブＶ１４を開き、バルブＶ１１及びバルブＶ２４を閉じる。この状態で貯留処理水排出ラインＬ１２に設けられた貯留処理水排出ポンプＰ１１を稼働させる。これにより、バラストタンク６２に貯留される貯留処理水Ｗ３は、紫外線リアクタ６１により紫外線処理され、処理水ラインＬ１１及び貯留処理水排出ラインＬ１２を介して外部に排出される。
【００５８】
本実施形態のバラスト水処理装置１によれば、例えば、次のような効果を奏する。
本実施形態のバラスト水処理装置１は、内部に流入したバラスト水Ｗ１を濾過して外部へ流出させる筒状のフィルタ５２と、フィルタ５２により濾過されたバラスト水Ｗ２を貯留するバラストタンク６２と、フィルタ５２の二次側に設けられ、フィルタ５２に向かって逆洗水Ｗ２を噴射する逆洗水噴射ノズル６と、逆洗水噴射ノズル６に向けて逆洗水Ｗ２が流通する逆洗水流通ラインＬ２１と、逆洗水流通ラインＬ２１に設けられ、逆洗水流通ラインＬ２１を流通する逆洗水Ｗ２を濾過する再生型濾過器７０と、を備える。
【００５９】
そのため、フィルタ５２への逆洗水の清浄性を向上させることができる。また、再生型濾過器７０は再生処理を行うことで、再生型濾過器７０のフィルタ等を交換しなくても濾過機能を回復させることができるため、メンテナンス性に優れる。
【００６０】
また、本実施形態のバラスト水処理装置１においては、バラストタンク６２に貯留されるバラスト水（貯留処理水）Ｗ３が、再生型濾過器７０を逆洗して再生するための再生用水として利用される。そのため、船舶では貴重な清浄水の使用を抑制して、再生型濾過器７０を逆洗して再生することができる。
【００６１】
また、本実施形態のバラスト水処理装置１は、清浄水を貯留する清浄水タンク６３を更に備える。バラストタンク６２に貯留されるバラスト水（貯留処理水）Ｗ３が再生用水として利用された後に、清浄水タンク６３に貯留される清浄水Ｗ４が、再生型濾過器７０の再生の濯ぎ用の再生濯ぎ用水として利用される。そのため、船舶では貴重な清浄水を比較的少量のみ使用して、再生型濾過器７０の再生を十分に行うことができる。
【００６２】
以上、本発明の好ましい実施形態について説明した。しかし、本発明は、上述した実施形態に限定されることなく、種々の形態で実施することができる。
【００６３】
前記実施形態においては、バラストタンク６２に貯留される貯留処理水Ｗ３は、紫外線リアクタ６１により紫外線処理された後に、再生型濾過器７０に供給されているが、これに制限されない。例えば、貯留処理水Ｗ３は、紫外線リアクタ６１により紫外線処理されずに、再生型濾過器７０に供給されてもよい。
【００６４】
前記実施形態においては、フィルタ５２の逆洗のための逆洗水としてフィルタ５２で濾過処理され且つバラストタンク６２を経ていない濾過処理水Ｗ２が使用されているが、これに制限されない。バラストタンク６２に貯留される貯留処理水Ｗ３を逆洗水として使用してもよい。
【００６５】
前記実施形態においては、ケーシング５１及びフィルタ５２の内部にバラスト水（Ｗ２，Ｗ１）が存在した状態で、逆洗水噴射ノズル６によるフィルタ５２の逆洗処理（バラスト水処理運転中の逆洗）が行われているが、これに制限されない。被処理水Ｗ１の濾過処理終了後、ケーシング５１及びフィルタ５２の内部に実質的にバラスト水（Ｗ２，Ｗ１）が存在しない状態で、逆洗水噴射ノズル６によるフィルタ５２の逆洗処理（空間洗浄）を行ってもよい。
【００６６】
具体的には、被処理水Ｗ１の濾過処理終了後、被処理水排出ラインＬ２のバルブＶ２及びエア抜きラインＬ３１のバルブＶ３１を開き、他のバルブを閉じて、フィルタ５２内の水を排出する。そして、ケーシング５１及びフィルタ５２の内部に実質的にバラスト水（Ｗ２，Ｗ１）が存在しない状態で、清浄水ラインＬ２５のバルブＶ２５及び洗浄汚水排出管２９に設けられたバルブＶ３２を開き、第１逆洗水ポンプＰ２１及び第２逆洗水ポンプＰ２２を稼働させる。これにより、清浄水タンク６３に貯留される清浄水Ｗ４は、清浄水ラインＬ２５、再生用水ラインＬ２４及び逆洗水流通ラインＬ２１を流通し、第１逆洗水ポンプＰ２１及び第２逆洗水ポンプＰ２２により加圧され、逆洗水Ｗ２として、逆洗水噴射ノズル６からフィルタ５２に向けて噴射され、逆洗が行われる。
【００６７】
前記実施形態においては、バラストタンク６２に貯留されるバラスト水（貯留処理水）Ｗ３が、再生型濾過器７０の逆洗（再生）のための再生用水として利用され、清浄水タンク６３に貯留される清浄水Ｗ４が、再生型濾過器７０の再生の濯ぎ用の再生濯ぎ用水として利用されているが、これに制限されない。バラストタンク６２に貯留されるバラスト水（貯留処理水）Ｗ３を再生型濾過器７０の逆洗のための再生用水として利用せず（前記実施形態において再生用水ラインＬ２４における接続部Ｊ２３と接続部Ｊ２５との間の部分が無い態様）、清浄水タンク６３に貯留される清浄水Ｗ４を、再生型濾過器７０の逆洗（再生）用及び濯ぎ用の水として利用することができる。
【符号の説明】
【００６８】
１  バラスト水処理装置
２  バラスト水濾過装置
４  吸引ノズル
６  逆洗水噴射ノズル
７  逆洗水供給手段
５２  フィルタ
６１  紫外線リアクタ
６２  バラストタンク
６３  清浄水タンク
７０  再生型濾過器
Ｌ２１  逆洗水流通ライン
Ｗ１  バラスト水、被処理水
Ｗ２  バラスト水、濾過処理水、逆洗水
Ｗ３  バラスト水、貯留処理水、再生用水、再生排水
Ｗ４  清浄水、再生濯ぎ用水、濯ぎ排水
【図１】
0006459608.tif 000002